【事件の表示】
　特願２０００−３９９８０５「コンバインのモニタ装置」拒絶査定不服審判事件〔平成１３年　９月１８日出願公開、特開２００１−２５１９２６〕について、次のとおり審決する。
【結　論】
　本件審判の請求は、成り立たない。
【理　由】
１．手続の経緯及び本願発明
　本願は、平成５年９月１日に出願した特願平５−２１７５８５号の一部を平成１２年１２月２８日に新たな特許出願としたものであって、平成１４年７月２６日付けで拒絶査定がなされたところ、これに対し平成１４年９月１９日に拒絶査定不服審判の請求がなされたものであって、その請求項１に係る発明（以下、「本願発明」という。）は、平成１４年１０月２１日付け手続補正書により補正された明細書及び図面の記載からみて、特許請求の範囲の請求項１に記載された、次のとおりのものである。
　
（本願発明）
　「走行装置２と刈取装置３と脱穀装置４と籾貯留タンク５と運転席６とを設けるとともに、各部の制御装置と籾貯留タンク５内の籾の量を検出する籾センサ９ａ，９ｂ，９ｃとを設け、前記運転席６前側に液晶表示手段１３と操作レバー１２ａ，１２ｂ，１２ｃとを設けたコンバインにおいて、前記液晶表示手段１３は、前記籾センサ９ａ，９ｂ，９ｃの検出結果に基づいて籾貯留タンク５内の籾の量を段階的に図形表示する構成とするとともに、該液晶表示手段１３が籾の量を表示しているときであっても前記制御装置の異常発生時には表示を切換えて異常表示する構成としたことを特徴とするコンバインのモニタ装置。」
　
２．引用文献に記載された事項
　これに対して、原査定の拒絶の理由に引用された刊行物である、特開平４−３３５８１６号公報（以下、「引用文献」という。）には、「操作装置」の発明に関して、図面の図１〜図６とともに、次の事項が記載されている。
　
（イ）「【００１７】【実施例】以下、本発明をコンバインに適用した実施例について、図面に基づいて説明する。作業機としてのコンバインは、図４に示すように、左右一対のクローラ走行装置１１を備える。機体Ｖの前部には刈取部１２が設けられ、その刈取部１２の後方に操縦部１３、刈り取られた穀稈を脱穀・選別する脱穀部１４、脱穀部１４から供給される穀粒を貯溜するグレンタンク１５が搭載されている。」
　
（ロ）「【００３０】以上に概略説明した各制御（刈高制御、方向制御、ローリング制御、選別制御、車速制御）の他にも、扱深制御等があるが説明を省略する。これらの制御は、図２に示すように、制御手段Ｈが司る。制御手段Ｈはマイクロコンピュータを中心に構成され、そのプログラムによって各制御を実現している。以下の説明において便宜上、制御手段Ｈに各制御を行う制御装置が各別に内蔵されているとみなす。
【００３１】図２に示すように、既述したセンサ類Ｓ１〜Ｓ６，ＳＷ１の検出情報が制御手段Ｈに入力され、制御手段Ｈに内蔵された各制御装置は、各検出情報や各設定値に基づいて、夫々に対応するアクチュエータ（油圧制御の電磁弁等）Ｍ１〜Ｍ３や電動モータＭ４〜Ｍ６の駆動を制御するように構成されている。
【００３２】各制御装置の起動・停止を指令し、車速制御における最高車速や刈高制御における刈取り高さ等のパラメータ（以下、制御目標値という）を設定するための操作装置は、操縦部１３のオペレータが見やすく操作しやすい位置に設けられた操作パネルユニットＣ及び制御手段Ｈで構成されている。
【００３３】操作パネルユニットＣは、図２に示すように、表示部１，２、キー入力部３，４，５、及びＭＰＵ（マイクロコンピュータ）部６からなり、制御手段Ｈとの間でシリアル通信によりデータの授受を行っている。
【００３４】表示部は図１に示すように、燃料残量やエンジン回転数等を表示する主表示部１と多目的に使用される補助表示部２に分かれている。主表示部１は各表示の専用セグメントを備える液晶ディスプレイであり、各制御装置の起動・停止を表示する表示手段としても働く。補助表示部２は、９６×３２ドットで構成される液晶グラフィックディスプレイであり、主に各制御装置の制御目標値を表示する表示手段として働く。」
　
（ハ）「【００４１】車速制御装置の最高車速（制御目標値）の変更設定を例にとって説明を加える。先ず、選択キー４のうちの車速制御装置に相当するキー（ＡＳＣ）が押されると、図３（イ）に示すような表示が補助表示部２に現れる。次にアップキー５ａが押されると、最高車速を示すバーグラフ表示が１レベル上がる。押し続ければバーグラフ表示のレベルは上がり続け、アップキー５ａから指を離せば上昇が止まる。ダウンキー５ｂを押した場合は同様にしてバーグラフで表示されるレベルが下がる。
【００４２】所定時間（約５秒）経過すると、バーグラフで表示されているレベルが新たな最高車速として確定し、メモリ７の記憶データが更新される。同時に補助表示部２の表示は選択キー４が押される前の通常表示に戻る。この通常表示としては、図３（ロ）に示すように、前述の選別装置Ｂの状態表示、即ちチャフ開度及びトウミ風力のバーグラフ表示を行う。但し、車速や機体の水平に対する傾き等、他の状態表示を行うこともできる。
【００４３】この状態表示の切換のために、表示切換キー５ｃが変更キー５のアップキー５ａとダウンキー５ｂの間に設けられている。表示切換キー５ｃを一回押す毎に予め定められた順番で状態表示が切り替わる。又、アップキー５ａと表示切換キー５ｃを同時に押すと、逆順で状態表示が切り替わる。これらの状態表示のためのデータもメモリ７に記憶され、制御手段Ｈは、ＭＰＵ部６から送信されたキー入力データに基づいてメモリ７から所定の状態表示データを読み出しＭＰＵ部６に送信する。
【００４４】メモリ７は、バッテリーバックアップが為されており、電源が切れてもその記憶データを長時間保持する。電源が投入された時は補助表示部２は図３（ロ）の表示になる。これによってオペレータは刈取り作業開始前にチャフ開度及びトウミ風力の現在値を確認し、必要ならば変更設定する。」
　
（ニ）「【００４５】図１において、主表示部１の下部１ａに横一列に配設された各制御装置の起動・停止表示用のセグメントについては既述したが、その上部の各表示について説明を加える。１ｂ，１ｃ，１ｄは夫々燃料残量、冷却水温、穀粒量を表示する縦積みバーグラフである。穀粒量は、グレンタンク１５内に設けられた４個の穀粒センサ（図示せず）の検出情報に基づいて５段階に表示される。」
　
（ホ）「【００５０】次に、補助表示部２の活用についての別実施例を下記に列記する。１（当審注：１は丸囲いされた数字である）電源投入時の補助表示部２の表示を、実施例の様に特定の表示に固定するのではなく、前回電源を切ったときの表示を再現するレジューム表示としてもよい。又、内蔵メモリ７に記憶されている各制御目標値を一定時間（２秒程度）毎に切り換えながら、補助表示部２に表示させるようにしてもよい。これにより、オペレータは電源投入後に各制御目標値をチェックし、変更設定の必要なものを知ることができる。
【００５１】２（当審注：２は丸囲いされた数字である）メモリ７の記憶データをメイン電源の遮断中も保持する方法としては、バッテリーバックアップに限らず、不揮発性メモリ（ＥＥＰＲＯＭ等）を用いてもよい。３（当審注：３は丸囲いされた数字である）選別装置Ｂ等において処理物の詰まり状態が発生したとき、エンジンＥのオーバヒートが発生したとき等に、それらの異常状態をオペレータに知らせるための警報表示に用いることもできる。つまり、制御手段Ｈが各センサ類からの情報に基づいて、異常状態を検出すると異常警報コードをＭＰＵ部６に送信し、ＭＰＵ部６は、予めパターン化された数種類のメッセージ表示データの中からその異常警報コードに相当するものを読み出して補助表示部２に優先表示させる。」
　
　そして、上記記載事項（イ）〜（ホ）並びに図面に記載された内容を総合すると、引用文献には、次の発明（以下、「引用発明」という。）が記載されていると認められる。
　
（引用発明）
　「左右一対のクローラ走行装置１１を備え、機体Ｖの前部には刈取部１２が設けられ、その刈取部１２の後方に操縦部１３、刈り取られた穀稈を脱穀・選別する脱穀部１４、脱穀部１４から供給される穀粒を貯溜するグレンタンク１５が搭載され、
　刈高制御、方向制御、ローリング制御、選別制御、車速制御等の各制御はマイクロコンピュータを中心に構成される制御手段Ｈが司り、センサ類の検出情報が制御手段Ｈに入力され、制御手段Ｈに内蔵された各制御装置が各検出情報や各設定値に基づいて、対応する制御をするように構成し、
　操縦部１３のオペレータが見やすく操作しやすい位置に操作パネルユニットＣを設け、操作パネルユニットＣは、液晶ディスプレイである主表示部１と、液晶グラフィックディスプレイであり多目的に使用される補助表示部２を有し、
　主表示部１には、グレンタンク１５内に設けられた４個の穀粒センサの検出情報に基づいて穀粒量を５段階に表示する縦積みバーグラフ１ｄを設け、
　制御手段Ｈが各センサ類からの情報に基づいて、異常状態を検出すると、予めパターン化された数種類のメッセージ表示データの中からその異常警報コードに相当するものを読み出して補助表示部２に優先表示させるコンバイン」
　
３．対比
　本願発明と引用発明とを対比する。
　引用発明における、「クローラ走行装置１１」、「刈取部１２」、「脱穀部１４」、「グレンタンク１５」、「４個の穀粒センサ」、液晶ディスプレイである「主表示部」と液晶グラフィックディスプレイであり多目的に使用される「補助表示部」、「穀粒量を５段階に表示する縦積みバーグラフ」は、本願発明の「走行装置２」、「刈取装置３」、「脱穀装置４」、「籾貯留タンク５」、「籾センサ９ａ，９ｂ，９ｃ」、「液晶表示手段」、「籾の量を段階的に図形表示する構成」にそれぞれ相当する。
　また、引用発明における「制御手段Ｈ」は、ローリング制御、選別制御、車速制御等の各制御を行っていることから、本願発明の「各部の制御装置」に相当する。
　また同時に、引用発明の「制御手段Ｈが各センサ類からの情報に基づいて、異常状態を検出し、予めパターン化された数種類のメッセージ表示データの中からその異常警報コードに相当するものを読み出」すことは、制御手段が「異常状態」であることを発生させているのであるから、本願発明の「制御装置の異常発生」に相当する。
　
　してみれば、両者の一致点及び相違点は、次のとおりである。
　
（一致点）
　「走行装置と刈取装置と脱穀装置と籾貯留タンクを設けるとともに、各部の制御装置と籾貯留タンク内の籾の量を検出する籾センサと液晶表示手段を設けたコンバインにおいて、液晶表示手段は、前記籾センサの検出結果に基づいて籾貯留タンク内の籾の量を段階的に図形表示する構成とするとともに、制御装置の異常発生時には異常表示を優先表示するするコンバイン」
　
（相違点１）
　本願発明では、運転席前側に液晶表示手段とともに操作レバーを設けているのに対し、引用発明では、「液晶ディスプレイ」である「主表示部」及び「液晶グラフィックディスプレイ」である「補助表示部」を有する「位置操作パネルユニットＣ」を「操縦部１３のオペレータが見やすく操作しやすい位置」に設けるものの、それが運転席の前側であるか明らかではなく、コンバインの操作レバーを運転席前側に設けるか否かも明らかではない点。
　
（相違点２）
　液晶表示手段の表示態様に関して、本願発明では、「液晶表示手段が籾の量を表示しているときであっても前記制御装置の異常発生時には表示を切換えて異常表示を優先表示する」のに対し、引用発明では、穀粒量を表示する液晶ディスプレイと異常表示を行う液晶グラフィックディスプレイが、それぞれ別の液晶ディスプレイであり、穀粒量の表示と異常表示には優先関係がなく、それらの表示を切り換えるものではない点。
　
４．当審の判断
　上記の相違点について検討する。
　
（相違点１について）
　コンバインの運転席において、運転席前側にモニター機能と操作レバーを設けることが、特開平２−６７６０６号公報にもみられるように従来周知であることを考慮すれば、引用発明の液晶ディスプレイ及び液晶グラフィックディスプレイを運転席前側に設け、併せて操作レバーも運転席前側に設けるように構成することは、当業者が適宜なし得る設計的事項にすぎない。
　
（相違点２について）
　引用発明の「補助表示部２」が「多目的に使用」されるものであることを考慮すれば、引用発明の、多目的に使用される補助表示部２に「穀粒量」を目的にした表示も行うように変更することは、当業者が容易に想到しうることである。
　そして、引用発明が、「補助表示部２」において、他の表示よりも「異常状態」を優先表示させていることからすると、引用発明の「補助表示部２」に「穀粒量」の表示を行う際にも、「穀粒量」よりも「異常状態」を優先表示させることは、当業者にとって適宜なし得る設計的事項にすぎない。
　
　そして、本願発明が奏する作用・効果を検討してみても、引用発明の技術並びに周知の技術から、当業者が予測しうる範囲のものであって、格別なものとすることはできない。
　
５．むすび
　以上のとおり、本願発明は、引用文献に記載の技術並びに周知の技術に基づいて、当業者が容易に発明をすることができたものであるから、特許法第２９条第２項の規定により特許を受けることができない。
　よって、結論のとおり審決する。